(57)【要約】      （修正有）【課題】捕獲率を向上させると共に、引き金の動作安定性を向上させ、その設置作業も容易にする猪、鹿等を捕る括り罠を提供する。【解決手段】ジャンプ式括り罠は、踏板１から下の深さが数ｃｍ程度の極浅いもので良く、ジャンプバネ装置の外筒６を地中に埋め込んで罠を固定しており、踏板１を踏んだ時に引き金８が回転し、これに連動して係止ピン１８を引き抜き、バネ押え金５の係止を開放するようにした。引き金８は動物や猪等の子供が踏板１を踏んでも動作し難い構造としている。括り輪２を絞り込むバネにはコイルバネを圧縮した押しバネを使用し、獣の足を支点にして括りワイヤ３を絞り込むのではなく、外筒６の底に設けたワイヤストッパー１３を基準点にして、バネの復元力で括りワイヤ３に沿って上向きにバネ押え金５を押し出して括り輪２を絞り込むため、絞り込み時に獣に察知され難く、捕獲率を向上させている。【選択図】図１
0003179310.tif 000002
【実用新案登録請求の範囲】
【請求項１】
落し穴を覆うように敷設する踏板１、
一端を地上で固定し外筒６の底板外側で括りワイヤ３にワイヤストッパー１３を固着し、バネ押え金５の中心穴２２を通り、踏板１上に敷設する括り輪２を形成する括りワイヤ３、
バネ押え金５の外周に圧縮装着され、バネの復元力でバネ押え金５を押上げて括り輪２を絞り込む押しバネ４、
圧縮された押しバネ４、バネ押え金５とこれらを収納する外筒６は、台座７にＴ字状に固定して地中に埋め込まれ、
押しバネ４をバネ押え金５の一側に開けた穴２０と外筒６の一側に開けた穴２１に係止ピン１８を挿入して係止し、
前記係止ピン１８の一端を回転自由にＬ字形状の引き金８に開けたピン穴１９に取付け、
前記引き金８を台座７に回転自由に固定金９で取付け、
一端を地上で他端を引き金８で支持した踏板１を踏んだ時に引き金８が回転し、
これに連動して係止ピン１８を引き抜き、バネ押え金５の係止を開放するようにした括り罠。
【請求項２】
括りワイヤ３の一端を地表に立木等に縛り固定すると共に、途中を括り罠埋設近傍の地上に括りワイヤ固定具１１１で固定し、
バネ押え金１１５が外筒６から外に出た上端部に括りワイヤ３が習動するように取付けた事を特徴とする請求項１記載の括り罠。
【考案の詳細な説明】
【技術分野】
【０００１】
本考案は猪、鹿、その他の野性動物を捕獲するために使用するジャンプ式括り罠に関するものである。
【背景技術】
【０００２】
括り罠は主として猪、鹿等の野生動物を捕獲するために仕掛ける罠の一種で、足首を括りワイヤで括って捕獲する狩猟罠である。従来の括り罠は、獣道に掘った落し穴の開口部に踏板を被せて、その踏板の周囲に括りワイヤの一端に形成した括り輪を置き、それらの上に落ち葉や土砂等を被せて罠を覆い隠しておく。そして、バネの跳上げアームを係止具で固定し、バネの基アームを地上に固定してある。猪等が踏板を踏み、足が落し穴に落ちると、同時に、跳上げアームが係止具から外れて括りワイヤを上方へ跳ね上げ、括り輪で足を絞って抜けないようにする。前記括りワイヤの他端は地表の立木等に縛っておき、足を括られた猪等が暴れて地上に固定した括り罠が外れても、猪等が逃げたり括りワイヤが解けたりしないようにしてある。
【先行技術文献】
【特許文献】
【０００３】
【特許文献１】特開２０００−１２５７４３
【特許文献２】特開２００１−１１２３９９
【特許文献３】特開２００１−１７０５９
【考案の概要】
【考案が解決しようとする課題】
【０００４】
従来の括り罠は設置するのに、２０〜３０ｃｍの深い落し穴を必要とした上、括り罠は地表に固定し落ち葉や土砂等を被せて罠を覆い隠しておくため、設置工数が大きく、排出される土も多く、廃土等から猪等に感づかれ易く、また、罠の設置に長時間を要していたので人の匂いが周辺に付着し、猪等が警戒して罠に近寄らなくなるという不具合があった。
また、踏板を受け、係止具を動作させる引き金が１点で台座に取り付けられているため、踏板が傾いたり、引き金の動作が安定せず不安定であった。
バネに跳上げアームを使用している括り罠は、括り輪を絞り込むのに獣の足と地表の固定点を支点にして括りワイヤを引き上げるため、絞り込み時に獣に察知され易かった。
【課題を解決するための手段】
【０００５】
上記した課題に鑑み、本発明の落し穴は踏板１から下の深さが１〜２ｃｍ程度の極浅いもので良く、括り罠の固定はジャンプバネ装置４０の外筒６を地中に埋め込むだけで設置でき、罠の設置が猪等に感づかれ難いものと成っている。
また、踏板１の設置や、引き金８の動作も安定しており、小動物や猪等の子供が踏板１を踏んでも引き金８が動作し難い構造としている。
括り輪２を絞り込むバネにはコイルバネを圧縮した押しバネ４としており、獣の足を支点にして括りワイヤ３を絞り込むのではなく、外筒６の底板外側に設けた括りワイヤ３のワイヤストッパー１３を基準点にして、バネの復元力で括りワイヤ３に沿って上向きにバネ押え金５を押し出して括り輪２を絞り込むため、絞り込み時に獣に察知され難い。
【０００６】
本考案の第一の括り罠は、落し穴を覆うように敷設する踏板１、
一端を地表の立木等に縛り固定し外筒６の底板外側で括りワイヤ３にワイヤストッパー１３を固着し、バネ押え金５の中心穴２２を通り、踏板１上に敷設する括り輪２を形成する括りワイヤ３
、
バネ押え金５の外周に圧縮装着され、バネの復元力でバネ押え金５を押上げて括り輪２を絞り込む押しバネ４、
圧縮された押しバネ４とバネ押え金５を収納する外筒６からなるジャンプバネ装置４０、台座７にＴ字状に固定して地中に縦に埋め込まれる外筒６、
押しバネ４をバネ押え金５の一側に開けた穴２０と外筒６の一側に開けた穴２１に係止ピン１８を挿入して係止し、
前記係止ピン１８の一端を回転自由にL字形状の引き金８に開けたピン穴１９に取付け、
前記引き金８を台座７に回転自由に固定金９で取付け、
一端を地上で他端を引き金８で支持した踏板１を踏んだ時に引き金８が回転し、
これに連動して係止ピン１８を引き抜き、バネ押え金５の係止を開放するようにした括り罠を提供するものである。
【０００７】
本考案の第２の括り罠は、括りワイヤ３の一端を地表の立木等に縛り固定すると共に、途中を括り罠埋設近傍の地上に括りワイヤ固定具１１１で固定し、
バネ押え金１１５が外筒６から外に出た上端部に括りワイヤ３が習動するように取付け、
地中に埋設される押しバネ４、外筒６、台座７等のジャンプ式括り罠の主要部が括りワイヤ３から外れ、猪等が括りワイヤ３に掛かって暴れても、ジャンプ式括り罠の主要部が壊れないようにしている。
【考案の効果】
【０００８】
本考案によれば、括り輪２を絞り込むバネには圧縮したコイルバネを使用しており、獣の足を支点にして括り輪２を絞り込むのではなく、外筒６の底板外側に設けた括りワイヤ３のワイヤストッパー１３を基準点にして、バネの復元力で括りワイヤ３に沿って上向きにバネ押え金５を獣の足に向って押し出して括り輪２を絞り込むため、絞り込み時に獣に察知され難く、獣の捕獲率が高く成っている。
また、括り罠を設置するのに落し穴は深いものを必要としなし、括り罠の構造も簡単で、罠の設置に長時間を要し無いので人の匂いが周辺に付着することも少なく、排出される土も少なく、廃土等から猪等に感づかれ難く、猪等が警戒せず罠に近寄り易くなっている。
また、引き金８が複数点で台座７に係止されているため、引き金８のぐらつきが無く、踏板１の何処を踏んでも引き金８が正確に動作し、その動作も安定している。さらに、引き金８と台座７を係止している回転ストッパー１７の強度や取り付け個数を調整することにより、捕獲対象外の小動物や猪等の子供を捕獲する事無く、捕獲対象の動物を捕獲することができる。
第２の考案によれば、猪等が括りワイヤ３に掛って暴れても、押しバネ４や台座７等のジャンプ式括り罠の主要部は括りワイヤに繋がっていないので、また、構造が非常に単純に作られているので、ジャンプ式括り罠の主要部が壊される事は無くなる。
【図面の簡単な説明】
【０００９】
【図１】本願考案の一実施態様を示すジャンプ式括り罠の平面図（ａ）および正面図（ｂ）である。
【図２】括り罠の要部をなす台座７、引き金８等を示す斜視図である。
【図３】外筒６の台座７への取付部を示す部分平面図（ａ）と側面図（ｂ）である。
【図４】回転ストッパー１７の一例を示す斜視図である。
【図５】係止ピン１８の取り付け状態を示す部分平面図（ａ）と側面断面図（ｂ）である。
【図６】踏板１、台座７、引き金８の組合図である。
【図７】第二の考案の一実施態様を示すジャンプ式括り罠の平面図（ａ）および正面図（ｂ）である。
【図８】第二の考案の係止ピン１８の取り付け状態を示す部分平面図（ａ）と側面断面図（ｂ）である。
【考案を実施するための形態】
【００１０】
次に、本考案を実施するための形態について、図面を参照しながらジャンプ式括り罠の一例を説明する。ただし、以下に示す実施例は、本発明の技術思想を具体化するためのジャンプ式括り罠の例を示すものであって、以下のものに特定するものでない。
【実施例】
【００１１】
図１は、この考案に係るジャンプ式括り罠１００の一例を示す。このジャンプ式括り罠１００は各部が猪等を狩るのに極めて簡単、丈夫で且つ最適な構造をしている。ジャンプ式括り罠１００は地上に２５ｃｍ角、深さ５ｃｍ程度の落し穴を堀り、その上に置かれる踏板１と、踏板１の周りに敷設する括り輪２を設けた括りワイヤ３、および、前記括り輪２を瞬時に絞り込むためのジャンプバネ装置４０、踏板１の一方を支持する引き金８を取付けた台座７等から構成されている。ジャンプ式バネ装置４０は、押しバネ４、バネ押え金５、及び外筒６から構成されている。  
【００１２】
踏板１は６ｍｍ程度の木材板の一端に厚さ１５ｍｍ、幅３０ｍｍ程度の角材を打ち付けたものや数ミリ程度の金属板等で作られている。踏板１の奥行き寸法は落し穴寸法より数cm小さくして、猪等が踏板１を踏んだとき、確実に片端が落し穴に落ち込むようにしている。踏板１は、角材を打ち付けた一端を落し穴の上面で、これに対抗する他端を引き金８で支持している。
踏板１の角材を打ち付けた一端は落し穴の上面に置いたとき、地表の水平度を出来るだけ気にせずに設置できるように、両角を落として辺の長さを短くしてある。
押しバネ４は外形１６ｍｍ程度で１本の鋼線からなる単線をツル巻状に巻いたツル巻バネから成り、その一端は外筒６の下端に固定し、他端はバネ押え金５で外筒６内に圧縮して、安全ピン１６や係止ピン１８により外筒６とバネ押え金５で圧縮状態に保持される。
押しバネ４の長さは、括り輪２の大きさによって決まり、ワイヤストッパー１３を基準点としてバネ押え金４を押し上げた時、括り輪２を完全に締め込める長さとしている。
【００１３】
図２に示すように、台座７は厚さ１５ｍｍ、幅４０ｍｍで長さが２５０ｍｍ程度の木材で作られており、断面がＬ型形状の引き金８の角部を回転自在な固定金９で台座７に固定する。
Ｌ型形状の引き金８の長さ方向の中央部には、係止ピン１８を取付けるピン孔１９を開けてある。
回転ストッパー１７で引き金８と台座６の上端部を挟み込み、引き金８に設定以上の荷重がかかり引き金８に回転モーメントが働いたとき、回転ストッパー１７が外れて、引き金８が回転自在な固定金９を中心にして下方に回転する。
【００１４】
図４ａに回転ストッパー１７を示す。ほぼ角の尖ったU字形状をしており、金属板やプラスチック成形品で作られており、厚さは０．１〜１ｍｍ程度、幅は１０〜２０ｍｍ程度、深さは浅い方で５〜１０ｍｍ程度、深い方は１０〜２０ｍｍ程度である。溝幅は台座７と引き金８の厚さを加算した厚さとほぼ同じで、回転ストッパー１７を差し込んだとき、容易に落ちない溝幅としている。
また、形状をU字の底部に丸みを持たせ円弧の回転ストッパーとしても良い。
【００１５】
図５に係止装置を構成する外筒６の一側に開けた穴２１、バネ押え５の一側に開けた穴２
０、これらの２つの穴に一端を挿入し他端は引き金８の長さ方向中央部に開けた穴ピン１９に回転自由に取付けた係止ピン１８を示す。係止ピン１８は直径２ｍｍ程度の鋼線で作ってある。係止ピン１８は引き金８に開けたピン穴１９の上部に残った部分よりも少し大きい内径に作られた円形部を持ち、残りの他の部分は直線状である。係止ピン１８の円形部は回転自在としており、係止ピン１８の直線部は引き金８が回転したとき、バネ押え５および外筒６に開けた穴２０、２１から引き抜かれるように取り付ける。
台座７の上面の両端には、括り輪２の形状が踏板１に対して適正な形状を保つように、アルミの針金で作った括り輪ガイド金１２を取り付けてある。
【００１６】
括りワイヤ３は、外形が３〜６ｍｍ程度で、細い撚り鋼線からなっており、その一端を地上に立てた立木等に固定し、他端は落し穴の周りに敷設する括り輪２を形成している。
括りワイヤ３は、立木等に固定した一端から括り輪２に至るまでの途中の、外筒６の底板外部でワイヤストッパー１３を固着し、その次に外筒６の内側に挿入されたバネ押え金５の中心軸に開けられた穴２２を通り、括り輪２に至っている。安全ピン１６は２ｍｍ程度の鋼線で出来ており、バネ押え金５に開けた安全ピン穴１５と外筒６に開けた穴（図示せず）に挿入し、ジャンプ式括り罠の設置作業中等に不用意に押しバネ４が動作して作業者が負傷しないよう、押しバネ４を止めている。
【００１７】
図６に示すように台座７の一面に引き金８の角部を回転自由な固定金９で固定し、踏板１は引き金８と、落し穴の引き金８に対向する他辺の２箇所で踏板１を支持する。
ジャンプ式括り罠１００は、獣道に掘った落し穴の開口部に踏板１を被せて、その踏板１の周囲に括りワイヤ３の一端に形成した括り輪２を置き、それらの上に落ち葉や土砂等を被せて罠を覆い隠して設置する。また、外筒６も地中に埋設して台座７等を固定する。
【００１８】
次に、ジャンプ式括り罠１００の動作を説明する。猪等が落し穴を覆うように設置した踏板１を踏むと、図１に黒矢印で示す踏板１への荷重となり、踏板１を支持している引き金８側の踏板１が図１に白矢印で示すように下方へ左回転し、同時に引き金８も同じく図１に白矢印で示すように右回転する。引き金８が回転するとバネ押え金５の係止ピン１８が穴から引き抜かれてバネの係止が外れ、押しバネ４がバネ押え金５と共に括りワイヤ３に導かれて跳ね上がる。括りワイヤ３はワイヤストッパー１３で外筒６の底板外部で固定され、先端部でワイヤ通し輪（図示せず）に通されているので、括り輪２を瞬時に絞り込み猪等の足を捕捉する。括りワイヤ３は括りワイヤストッパー１３で一端を固定されているので、押しバネ４は猪等の足を支点とすること無く、括りワイヤ３の固定されている側と反対側、即ち、猪等の足の方向に向ってバネ押え金５を押し上げ、括り輪２を締める方向に跳ね上がる。その結果、前記括り輪２が猪等の足を掛けたまま上方へ押し上がるのと同時に括り輪２を足の太さまで締め込む。
よって、猪等の足が引っかかり、猪等のように有蹄動物は足首の太さよりもヒズメが大きいため、足が括り輪２から抜けなくなる。
括りワイヤ３の他端は立ち木に固定されているので、猪等が暴れても外れることはない。
【００１９】
次に第二の考案について図７、８を参照して説明する。
地中に埋設される外筒６、押しバネ４や台座７と括りワイヤ３とが一体に組み合わされている場合、猪等が括りワイヤ３に掛かって暴れると、ジャンプ式括り罠１００の主要部が壊されることがあった。
本発明はジャンプ式括り罠１００が動作すると、ジャンプ式括り罠１００の主要部が括りワイヤ３から外れ、猪等が暴れてもジャンプ式括り罠１００の主要部が壊れにくい構成となっている。
図７に示すように、括りワイヤ３は途中で外筒６の埋設された近辺に、ワイヤ固定部１１１で地中に固定されている。ワイヤ固定部１１１は一端をＵ字状に折り曲げ、他は直線状であり、Ｕ字部に括りワイヤ３を通し地中に強く打ち込み、簡単には括りワイヤ３が動かないように固定している。
ワイヤ固定部１１１を通った括りワイヤ３は、バネ押さえ金１１５の上端部に設けた穴１１６を通り、あるいは穴１１６に取り付けた括りワイヤ３のガイド金を通り、ワイヤ固定部１１１が括りワイヤ３に従って習動するように括り輪につながっている。
【００２０】
猪等が踏板１を踏むと踏板１が回転し、それに連動して、引き金８が回転するとバネ押え金５の係止ピン１８の係止が外れ、押しバネ４がバネ押え金５と共に括りワイヤ３に導かれて跳ね上がる。括りワイヤ３はワイヤ固定部１１１で地表に固定され、先端部で括りワイヤ通し輪に通されているので、括りワイヤ３に繋がれた括り輪２を上方へ押し上げる。括りワイヤ３は括りワイヤ固定部１１１で一端を固定されているので、押しバネ４は猪等の足を支点とする事無く、括りワイヤ３の固定されている側と反対側、即ち、猪等の足の方向に向って押しバネ４を押し上げ、括り輪２を締める方向に跳ね上げ、括り輪２を足の太さまで締める。
猪等が暴れるとワイヤ固定部１１１が地中から引き抜かれる。ワイヤ押え金５は括りワイヤ３と一体になっているが、地中に埋設された外筒６、押しバネ４や台座７等のジャンプ式括り輪の主要部は、括りワイヤ３から外れ、猪等が暴れてもこれらを引きずることがないので括り罠が壊されることは無く、また、猪等を傷つけることも無くなる。
【産業上の利用可能性】
【００２１】
本考案の獣捕獲用ジャンプ式括り罠は、猪や鹿等の野生動物を捕獲するための仕掛罠で、特に有蹄動物の捕獲に有用で、猟犬などは掛かることがなく、確実に目的とする獣の脚を括って捕らえることが可能であり、猟銃などが使えない場所でも使用できる。
【符号の説明】
【００２２】
１  踏板
２  括り輪
３  括りワイヤ
４  押しバネ
５  バネ押え金
６  外筒
７  台座
８  引き金
９  回転自在な固定金
１１  突起
１２  括り輪ガイド金
１３  ワイヤストッパー
１５  安全ピン孔
１６  安全ピン
１７  回転ストッパー
１８  係止ピン
１９  ピン穴
２０  ピン穴
２１  ピン穴 
２２  中心穴
３１  外筒押え金
３２  ナベ小ねじ
３３  蝶ナット
４０  ジャンプバネ装置
１００  ジャンプ式括り罠
１０５  バネ押え金
１０６  ワイヤ通し穴
１１１  ワイヤ固定具
【図１】
0003179310.tif 000003
【図２】
0003179310.tif 000004
【図３】
0003179310.tif 000005
【図４】
0003179310.tif 000006
【図５】
0003179310.tif 000007
【図６】
0003179310.tif 000008
【図７】
0003179310.tif 000009
【図８】
0003179310.tif 000010